(57)【特許請求の範囲】
【請求項１】
建物ユニットの床板の上に、浴槽本体と防水パンとを有するバスユニットが設置されたユニット建物の配管構造において、
前記バスユニット横の床板の少くとも一部を取外し可能な着脱可能床とすると共に、前記浴槽本体下部の床板を取外し可能な着脱可能床とし、
前記着脱可能床を取外した部分からバスユニット部分の床板の下側へ挿入して建物ユニットに設置される配管の区画貫通部分を下側から包囲可能な被覆ボックスを設け、
該被覆ボックスが、上面に前記床板で閉塞される開口部を有すると共に、一端側に前記着脱可能床近傍位置で不燃材によって閉塞される開口部を有することを特徴とするユニット建物の配管構造。
【請求項２】
前記バスユニットが、周囲の床板よりもレベルの低い床板の上に落し込み式に設置されたことを特徴とする請求項１記載のユニット建物の配管構造。
【請求項３】
前記被覆ボックスの高さ寸法を、床下の高さとほぼ等しくしたことを特徴とする請求項１または２記載のユニット建物の配管構造。
【請求項４】
前記バスユニット横の床小梁の下面を、バスユニット下の床板の下面と同一レベルまたはそれよりも高く設定したことを特徴とする請求項１〜３いずれかに記載のユニット建物の配管構造。
【請求項５】
建物ユニットの床板の上に、浴槽本体と防水パンとを有するバスユニットを設置するユニット建物の配管施工方法において、
前記バスユニット横の床板の少くとも一部を取外すと共に、前記浴槽本体下部の床板を取外し、前記床を取外した部分からバスユニット部分の床板の下側へ被覆ボックスを挿入して建物ユニットに設置される配管の区画貫通部分を下側から包囲し、被覆ボックス上面の開口部を前記床板に当接させた状態として、被覆ボックス一端側の開口部で不燃材による閉塞を行わせることを特徴とするユニット建物の配管施工方法。
【発明の詳細な説明】
【０００１】
【発明の属する技術分野】
この発明は、ユニット建物の配管構造および配管施工方法に関するものである。
【０００２】
【従来の技術】
工場で予め製造された箱型の建物ユニットを複数組上げて建物（ユニット建物）を構築するユニット工法が行われている。
【０００３】
このようなユニット工法による建物は、建物ユニットを予め工場で製造しているために、現場での工期が短くて済みしかも組立て精度が高いという利点がある。
【０００４】
このようなユニット工法による建物の例としては、特許第２５０１７０７号公報などが知られている。この公報では、１つの建物ユニット内における配管の横引き仕様が開示されている。
【０００５】
一方、ユニット工法によって作られる準耐火建築物では、建物ユニット間に跨がって配管が配設されるような場合に、配管の区画貫通部分をモルタルなどで塞ぐことが法規上定められている。
【０００６】
【発明が解決しようとする課題】
上記ユニット建物では、建物ユニット間に跨がって配管が配設されるような場合に、上記したように、配管の区画貫通部分をモルタルなどで塞ぐことが定められているが、例えば、建物ユニットに浴室ユニットのバスユニットを設置する場合には、建物ユニットの床板上にバスユニットを構成する防水パンが直接載ることとなるので、床板の上から配管の区画貫通部分をモルタルなどで塞ぐ作業を行うことが困難であった。
【０００７】
そこで、本発明の目的は、上記の問題点を解消し、配管の区画貫通部分の処理を床板の上側から行い得るようにしたユニット建物の配管構造および配管施工方法を提供することにある。
【０００８】
【課題を解決するための手段】
上記課題を解決するために、請求項１に記載された発明では、建物ユニットの床板の上に、浴槽本体と防水パンとを有するバスユニットが設置されたユニット建物の配管構造および配管施工方法において、前記バスユニット横の床板の少くとも一部を取外し可能な着脱可能床とすると共に、前記浴槽本体下部の床板を取外し可能な着脱可能床とし、前記着脱可能床を取外した部分からバスユニット部分の床板の下側へ挿入して建物ユニットに設置される配管の区画貫通部分を下側から包囲可能な被覆ボックスを設け、該被覆ボックスが、上面に前記床板で閉塞される開口部を有すると共に、一端側に前記着脱可能床近傍位置で不燃材によって閉塞される開口部を有することを特徴としている。
【０００９】
このように構成された請求項１にかかる発明によれば、前記床板の上にバスユニットの防水パンが設けられていても、着脱可能床を取外して、着脱可能床を取外した部分からバスユニット部分の床板の下側へ被覆ボックスを挿入し、被覆ボックスで建物ユニットに設置される配管の区画貫通部分を下側から包囲し、被覆ボックス上面の開口部を前記床板に当接させた状態として、被覆ボックス一端側の開口部で不燃材による閉塞を行わせることにより、床板の上側から配管の区画貫通部分を塞ぐ作業を行うことができるようになる。
【００１０】
請求項２に記載された発明では、前記バスユニットが、周囲の床板よりもレベルの低い床板の上に落し込み式に設置されたことを特徴としている。
【００１１】
このように構成された請求項２にかかる発明によれば、周囲の床板よりもレベルの低い床板の上にバスユニットの防水パンが落し込み式に設置されていても、床板の上側から配管の区画貫通部分を塞ぐ作業を行うことができる。
【００１２】
請求項３に記載された発明では、前記被覆ボックスの高さ寸法を、床下の高さとほぼ等しくすることことを特徴としている。
【００１３】
このように構成された請求項３にかかる発明によれば、前記被覆ボックスを床下へ挿入配置することのみによって、被覆ボックスの上面の開口部を床板や着脱可能床にほぼ当接させることが可能となり、被覆ボックスの取付け高さの調整を不要とすることができる。
【００１４】
請求項４に記載された発明では、前記バスユニット横の床小梁の下面を、バスユニット下の床板の下面と同一レベルまたはそれよりも高く設定することを特徴としている。
【００１５】
このように構成された請求項４にかかる発明によれば、前記バスユニット横の床小梁の下面を、バスユニット下の床板の下面と同一レベルまたはそれよりも高く設定することにより、床小梁の下面が下方へ出っ張らなくなるので、バスユニット横の着脱可能床を取外した部分から被覆ボックスを挿入し易くすることができる。
【００１６】
請求項５に記載された発明では、建物ユニットの床板の上に、浴槽本体と防水パンとを有するバスユニットを設置するユニット建物の配管施工方法において、前記バスユニット横の床板の少くとも一部を取外すと共に、前記浴槽本体下部の床板を取外し、前記床を取外した部分からバスユニット部分の床板の下側へ被覆ボックスを挿入して建物ユニットに設置される配管の区画貫通部分を下側から包囲し、被覆ボックス上面の開口部を前記床板に当接させた状態として、被覆ボックス一端側の開口部で不燃材による閉塞を行わせるユニット建物の配管施工方法を特徴としている。
【００１７】
このように構成された請求項５にかかる発明によれば、請求項１と同様の作用効果を得ることができる。
【００１８】
【発明の実施の形態１】
以下、本発明の具体的な実施の形態１について、図示例と共に説明する。
【００１９】
図１〜図６は、この発明の実施の形態１を示すものである。
【００２０】
まず、構成を説明すると、この実施の形態１のユニット建物１（準耐火建築物）では、箱型をした下階の建物ユニット２の上部に箱型をした上階の建物ユニット３が載置されている。また、上階の建物ユニット３には浴室ユニットのバスユニット５が設置されている。
【００２１】
前記下階の建物ユニット２は、水平な２対の天井梁６，６および７，７と、対向する天井梁６，６間に掛渡された複数本の天井根太８と、天井根太８の上部および下部に張設された石膏ボードなどの天井板９，１０と、上下の天井板９，１０間に充填された断熱材１１とを有している。
【００２２】
上階の建物ユニット３は、水平な２対の床梁１５，１５および１６，１６を有している。そして、上階の建物ユニット３の対向する床梁１５，１５間におけるバスユニット５の未設置側１７には通常サイズのの床小梁１８が複数本掛渡され、床小梁１８の上部には床小梁１８と直交する床根太１９を介して床板２０が張設されている。
【００２３】
また、上階の建物ユニット３の対向する床梁１５，１５間におけるバスユニット５の設置側２１では、前記床小梁１８に比べて高さの低い低床小梁２２が前記床小梁１８と下面を揃えて平行に設けられている。そして、バスユニット５の未設置側１７と設置側２１との境界部分２３には、通常サイズの床小梁１８と低床小梁２２との差分と同じかより低い高さを有する床小梁２４が設けられている。
【００２４】
更に、前記バスユニット５の設置側２１は、バスユニット５の未設置部分２５と設置部分２６とに区分けされており、前記未設置部分２５では、床根太２６などを介して床板２９が前記床板２０とほぼ同じ高さレベルに張設されている。また、前記バスユニット５の設置部分２６では、低床小梁２２の上部に床板３０が前記床板２０，２９よりも低いレベルで張設されており、この床板３０の上に前記バスユニット５が落し込み式に設置されている。また、床板３０の下面に対し、前記境界部分２３の床小梁２４の下面は、同一レベルａまたはそれよりも高くなっている。
【００２５】
そして、前記バスユニット５は、浴槽設置部３１と洗い場部３２とに区分けされ、浴槽設置部３１には浴槽本体３３が載置されている。また、洗い場部３２には防水パン３４が設けられている。そして、洗い場部３２の片側にはシャワー水栓３５などを備えた洗面台３６が設けられている。この洗面台３６には、給水管３７および給湯管３８が接続されている。
【００２６】
また、浴槽本体３３の排水口４１にはトラップ４２と、このトラップ４２に接続される雑配水管などの配管４３とが設けられている。
【００２７】
同様に、洗い場部３２の２つのコーナー部には、トラップ４４，４５と、このトラップ４４，４５に接続される雑配水管などの配管４６，４７とが設けられている。
【００２８】
そして、この実施の形態１のものでは、バスユニット５の未設置側１７および未設置部分２５の床板２０，２９におけるバスユニット５の横の部分に、取外し可能な着脱可能床５１，５２を設けている。
【００２９】
また、バスユニット５の設置部分２６における浴槽本体３３下部の床板３０に、部分的に取外し可能な着脱可能床５３を設けている。
【００３０】
更に、上階の建物ユニット３の着脱可能床５１〜５３を取外した部分から下階の建物ユニット２の天井裏５４へ挿入してトラップ４２、トラップ４４，４５および配管４３、配管４６，４７を部分的に下側から包囲可能な被覆ボックス５５〜５７をそれぞれ設けている。
【００３１】
この被覆ボックス５５〜５７は、石膏ボードなどの不燃材によって構成され、図５（ａ）（ｂ）に示すように、上面と一端側が開放されており、上面の開口部５８を前記床板３０などによって塞ぐようにすると共に、着脱可能床５１〜５３の近傍位置で一端側の開口部５９をモルタルやロックウールや石膏ボードなどの不燃材６０によって塞ぎ得るようになっている。また、被覆ボックス５５〜５７の高さ寸法ｂは、床下または天井裏５４の高さ（前記床板３０の下面および前記天井板９の上面間の距離）とほぼ等しくする。例えば、上記被覆ボックス５５〜５７は、図６（ａ）〜（ｃ）に示すように、コ字状に形成した木桟６１〜６３に石膏ボードからなる底板６４と３枚の側板６５〜６７を取付けた構造などとする。
【００３２】
なお、図１中、符号７１，７２は前記床板３０に形成したトラップ４４，４５を通すための切欠である。
【００３３】
次に、この実施の形態１の作用について説明する。
【００３４】
下階の建物ユニット２の上部に上階の建物ユニット３を据付ける。この際、上階の建物ユニット３には、予め工場で浴室ユニットのバスユニット５が設置された状態となっている。
【００３５】
そして、上階の建物ユニット３の据付後、仮置きされた浴槽本体３３を一次的に別の場所へ移動し、床板２０，２９，３０から着脱可能床５１〜５３を取外す。
【００３６】
この状態で、上階の建物ユニット３の着脱可能床５３を取外した部分から下階の建物ユニット２と床板３０との間の天井裏５４へ被覆ボックス５５を挿入すると共に、トラップ４２および配管４３を所定の位置に設置し、被覆ボックス５５でトラップ４２および配管４３の一部（区画貫通部分）を下側から包囲させる。
【００３７】
同様に、上階の建物ユニット３の着脱可能床５１，５２を取外した部分から下階の建物ユニット２と床板３０との間の天井裏５４へ被覆ボックス５６，５７を挿入すると共に、トラップ４４，４５および配管４６，４７を所定の位置に設置し、被覆ボックス５６，５７でトラップ４４，４５および配管４６，４７における、洗い場部３２の２つのコーナー部に設けられた切欠７１，７２の位置から着脱可能床５３を取外した部分の近傍までの部分（区画貫通部分）を、下側から包囲させる。
【００３８】
被覆ボックス５５〜５７およびトラップ４２、トラップ４４，４５などの施工後、被覆ボックス５５〜５７の一端側と配管４３、配管４６，４７との間をモルタルやロックウールや石膏ボードなどの不燃材６０によって塞ぐ。
【００３９】
最後に、着脱可能床５１〜５３を取付け、浴槽本体３３を所定位置へ戻して浴槽本体３３の接続固定を行う。
【００４０】
このように、この実施の形態１によれば、バスユニット５横の床板２０，２９の少くとも一部を取外し可能な着脱可能床５１，５２とすると共に、浴槽本体３３下部の床板３０を取外し可能な着脱可能床５３とし、着脱可能床５１〜５３を取外した部分からバスユニット５部分の床板３０の下側へ挿入してトラップ４２、トラップ４４，４５および配管４３、配管４６，４７の区画貫通部分を下側から包囲可能な被覆ボックス５５〜５７をそれぞれ設け、該被覆ボックス５５〜５７が、上面に前記床板３０などで閉塞される開口部５８を有すると共に、一端側に前記着脱可能床５１〜５３近傍位置で不燃材６０によって閉塞される開口部５９を有しているので、床板３０の上にバスユニット５の防水パン３４が設けられていても、着脱可能床５１〜５３を取外して、着脱可能床５１〜５３を取外した部分から床板３０の下側へ被覆ボックス５５〜５７を挿入し、被覆ボックス５５〜５７で建物ユニットに設置される配管４３、配管４６，４７の区画貫通部分を下側から包囲し、被覆ボックス５５〜５７上面の開口部５８を前記床板３０に当接させた状態として、被覆ボックス５５〜５７一端側の開口部５９で不燃材６０による閉塞を行わせることにより、床板２０，２９，３０の上側から配管４３、配管４６，４７の区画貫通部分を塞ぐ作業を行うことができるようになる。
【００４１】
前記バスユニット５が、周囲の床板２０，２９よりもレベルの低い床板３０の上に落し込み式に設置されていても、床板２０，２９，３０の上側から配管４３、配管４６，４７の区画貫通部分を塞ぐ作業を行うことができる。
【００４２】
また、被覆ボックス５５〜５７の高さ寸法ｂを、床下または天井裏５４の高さ（前記床板３０の下面および前記天井板９の上面間の距離）とほぼ等しくすることにより、被覆ボックス５５〜５７を床下または天井裏５４へ挿入配置することのみによって、被覆ボックス５５〜５７の上面の開口部５８を前記床板３０や着脱可能床５３にほぼ当接させることが可能となり、被覆ボックス５５〜５７の取付け高さの調整を不要とすることができる。
【００４３】
更に、バスユニット５横（着脱可能床５１部分）の床小梁２４の下面を、バスユニット５部分の床板３０の下面と同一レベルａまたはそれよりも高く設定することにより、床小梁２４の下面が下方へ出っ張らなくなるので、バスユニット５横の着脱可能床５１を取外した部分から被覆ボックス５７を挿入し易くすることができる。
【００４４】
以上、この発明の実施の形態を図面により詳述してきたが、具体的な構成はこの実施の形態に限らず、この発明の要旨を逸脱しない範囲の設計の変更等があってもこの発明に含まれる。
【００４５】
例えば、１階の建物ユニットと基礎との間に上記構成を適用しても良い。また、洗濯機用防水パンの設置部分に対して適用しても良い。
【００４６】
【発明の効果】
以上説明してきたように、請求項１の発明によれば、床板の上にバスユニットの防水パンが設けられていても、着脱可能床を取外して、着脱可能床を取外した部分からバスユニット部分の床板の下側へ被覆ボックスを挿入し、被覆ボックスで建物ユニットに設置される配管の区画貫通部分を下側から包囲し、被覆ボックス上面の開口部を前記床板に当接させた状態として、被覆ボックス一端側の開口部で不燃材による閉塞を行わせることにより、床板の上側から配管の区画貫通部分を塞ぐ作業を行うことができるようになる。
【００４７】
請求項２の発明によれば、周囲の床板よりもレベルの低い床板の上にバスユニットの防水パンが落し込み式に設置されていても、床板の上側から配管の区画貫通部分を塞ぐ作業を行うことができる。
【００４８】
請求項３の発明によれば、被覆ボックスを床下へ挿入配置することのみによって、被覆ボックスの上面の開口部を床板や着脱可能床にほぼ当接させることが可能となり、被覆ボックスの取付け高さの調整を不要とすることができる。
【００４９】
請求項４の発明によれば、バスユニット横の床小梁の下面を、バスユニット下の床板の下面と同一レベルまたはそれよりも高く設定することにより、床小梁の下面が下方へ出っ張らなくなるので、バスユニット横の着脱可能床を取外した部分から被覆ボックスを挿入し易くすることができる。
【００５０】
請求項５の発明によれば、請求項１と同様の作用効果を得ることができる、という実用上有益な効果を発揮し得る。
【図面の簡単な説明】
【図１】本発明の実施の形態１の平面図である。
【図２】図１のＡ−Ａ断面図である。
【図３】図１のＢ−Ｂ断面図である。
【図４】図１のＣ−Ｃ断面図である。
【図５】（ａ）は被覆ボックスの設置前の斜視図、（ｂ）は被覆ボックスの設置後の斜視図である。
【図６】（ａ）は被覆ボックスの平面図、（ｂ）は被覆ボックスの側面図、（ｃ）は被覆ボックスの背面図である。
【符号の説明】
２，３            建物ユニット
５                バスユニット
２０，２９，３０  床板
２４              床小梁
３３              浴槽本体
３４              防水パン
４３，４６，４７  配管
５１〜５３        着脱可能床
５５〜５７        被覆ボックス
５８，５９        開口部
【図１】
0004339441.tif 000002
【図２】
0004339441.tif 000003
【図３】
0004339441.tif 000004
【図４】
0004339441.tif 000005
【図５】
0004339441.tif 000006
【図６】
0004339441.tif 000007